(57)【要約】【課題】養生シートをピーンと張った状態に見栄えよく設置することができる乗客コンベアのリニューアルにおける外装照明養生方法の提供。【解決手段】トラス構造のフレームの外側面に設けられた外装側板と、外装天板に取り付けられた照明装置とを備えた乗客コンベアのリニューアルにおける外装照明養生方法において、既設の外装天板９と照明装置を撤去した後、既設外装下地材２に間隔をおいて複数の養生固定金具３ａを移動自在に設け、この養生固定金具３ａに養生固定板３ｂ、３ｃ、あるいはインターフェース金具６をそれぞれ取付け、これら各養生固定板３ｂ、３ｃ、インターフェース金具６に養生シート４ａ、４ｂ、４ｃを着脱自在な押しピン５により固定するようにした。【選択図】図４
2008001507.tif 000002
【特許請求の範囲】
【請求項１】
トラス構造のフレームの外側面に設けられた外装側板と、外装天板に取り付けられた照明装置とを備えた乗客コンベアのリニューアルにおける外装照明養生方法において、
既設の外装天板と照明装置を撤去した後、既設外装下地材に間隔をおいて複数の養生固定金具を移動自在に設け、この養生固定金具に養生固定板をそれぞれ取付け、これら各養生固定板に養生シートを固定したことを特徴とする乗客コンベアのリニューアルにおける外装照明養生方法。
【請求項２】
前記養生固定板に養生シートを着脱自在な押しピンにより固定したことを特徴とする請求項１に記載の乗客コンベアのリニューアルにおける外装照明養生方法。
【請求項３】
前記養生シートの継ぎ部は、互いの養生シートの端部同士がオーバーラップした状態とし、それぞれの養生シートを別々の養生固定板にそれぞれ押しピンにより固定したことを特徴とする請求項２に記載の乗客コンベアのリニューアルにおける外装照明養生方法。
【請求項４】
前記養生固定金具は、複数個の穴を有する養生固定板と一体に形成され、この複数個の穴に養生シートを押しピンにより固定することを特徴とする請求項２または３に記載の乗客コンベアのリニューアルにおける外装照明養生方法。
【発明の詳細な説明】
【技術分野】
【０００１】
本発明は、外装側板と照明装置を備えたエスカレータや動く道路などの乗客コンベアのリニューアルにおける外装照明養生方法に関する。
【背景技術】
【０００２】
一般に乗客コンベアは、乗客が目にする意匠部品として、乗客コンベアの乗降口に設けられるコームプレートやカバープレートなどの床板と、乗客を乗せて移動する踏段や踏板等のステップと、ステップの左右両側に設けられている内デッキや外デッキや外モール、ハンドレールフレームにガイドされつつステップに同期して移動するハンドレールと、トラスト構造のフレームの外側に設けられた外装側板を備えている。
【０００３】
そして、設置後、２０年以上経過しているような乗客コンベアにおいては上述した意匠部品が傷ついていたり、汚れていたりすることが多く、また、汚れが少ない場合でも形状やデザインが時代にそぐわなくなっていることが多い。さらに、２０年以上前の意匠部品を現在意匠部品と比較すると、安全性や信頼性の面で充分な配慮がなされていないものも多い。そのため、従来より意匠部品を含む乗客コンベアのリニューアルが広く実施されている。乗客コンベアの外装側板と照明装置のリニューアル方法としては、作業は夜間だけ行い、昼間は乗客コンベアを稼動させることを繰り返すことによって、乗客コンベアをリニューアルすることが行われている（特許文献１参照）。
【特許文献１】特開２００２−１０４７５９公報
【発明の開示】
【発明が解決しようとする課題】
【０００４】
しかし、従来のリニューアル方法にあっては、乗客コンベアのフレームを覆う外装側板（照明装置が取り付けられているものもある）のリニューアルについては、考慮されておらず、昼間運転を行うためには、外装側板を覆う養生シートを設置する必要があり、養生シート設置のためにかなりの時間がかかるとともに、１枚の養生シートでは、外装側板全長を覆いきれない為、２枚以上の養生シートを組み合わせる必要がある。この際に継ぎ目がピーンと張った状態として見栄えよく設置することは難しかった。
【０００５】
本発明は、このような従来技術の実状からなされたもので、養生シートをピーンと張った状態に見栄えよく設置することができる乗客コンベアのリニューアルにおける外装照明養生方法を提供することにある。
【課題を解決するための手段】
【０００６】
この目的を達成するために、本発明は、トラス構造のフレームの外側面に設けられた外装側板と、外装天板に取り付けられた照明装置とを備えた乗客コンベアのリニューアルにおける外装照明養生方法において、既設の外装天板と照明装置を撤去した後、既設外装下地材に間隔をおいて複数の養生固定金具を移動自在に設け、この養生固定金具に養生固定板をそれぞれ取付け、これら各養生固定板に養生シートを取り付けたことを特徴としている。
【０００７】
このように構成した本発明は、養生固定金具を外装下地材に沿って移動自在にできるようにしたため、養生固定板に養生シートを固定した後に養生固定金具を移動させるか、または、養生シートを引っ張りながら養生固定板に固定することにより、養生シートを弛ませることなくピーンと張った状態に取り付けることができる。
【０００８】
また、本発明は、前記発明において、前記養生固定板に養生シートを着脱自在な押しピンにより固定したことを特徴としている。
【０００９】
また、本発明は、前記発明において、前記養生シートの継ぎ部は、互いの養生シートの端部同士がオーバーラップした状態とし、それぞれの養生シートを別々の養生固定板にそれぞれ押しピンにより固定したことを特徴としている。
【００１０】
また、本発明は、前記発明において、前記養生固定金具は、複数個の穴を有する養生固定板と一体に形成され、この複数個の穴に養生シートを押しピンにより固定することを特徴としている。
【発明の効果】
【００１１】
本発明は、養生シートを固定する養生固定板が取り付けられる養生固定金具を外装下地材に沿って移動自在にできるようにしたため、養生シートをピーンと張った状態で、見栄えよく設置することができる。
【発明を実施するための最良の形態】
【００１２】
以下、本発明に係る乗客コンベアのリニューアルにおける外装照明養生方法を実施するための最良の形態を図に基づいて説明する。
【００１３】
図１は、本発明に係る乗客コンベアのリニューアルにおける外装照明養生方法の一実施形態を適用して、既設外装天板の撤去後に養生シートを設置した状態を示す乗客コンベアの側面図、図２は、図１のＢ−Ｂ断面拡大図、図３は、図２のＣ部拡大図、図４は、図３のＡ方向から見た図である。図５は、新設外装側板及びインターフェース金具の設置後に養生シートを設置した状態を示す図２に対応する図、図６は、図５のＤ部拡大図である。図７は、照明器具の設置後に養生シートを設置した状態を示す図５に対応する図である。図８は、外装天板の設置後の状態を示す図７に対応する図である。図９は、本発明の一実施形態を適用して行われるリニューアルの工程図である。
【００１４】
本実施形態に係る乗客コンベアのリニューアル方法は、図９に示されるように、夜間の数日に４回に分けて分割作業（作業工程Ｓ１〜Ｓ４）し、昼間は乗客コンベアを利用可能にする。これによって、乗客コンベア利用可能な昼間は、第三者の安全のため、養生シート４ａ〜４ｃにより工事部を覆う必要がある。分割作業の夜間の分割作業において、図１〜図４は、作業初日の作業工程Ｓ１に対応する図、図５と図６は、作業２日目の作業工程Ｓ２に対応する図、図７は、作業３日目の作業工程Ｓ３に対応する図、図８は、作業４日目の作業工程Ｓ４に対応している。
【００１５】
［本実施形態における作業工程Ｓ１］
リニューアル作業初日における図９に示した作業工程Ｓ１は、前述のように夜間に開始される。この作業工程Ｓ１にあっては、まず、既設の外装天板９と既設照明装置を撤去する。その後、図１に示されるように既設の外装天板９が備えられていた場所に、養生シート４ａ、４ｂ、４ｃを設置する。その設置作業は、図２、３に示すように、既設外装下地材２と複数個の穴を有する養生固定金具３ａを外デッキ１１の上面に対して、ボルト３ｄで挟圧固定する。なお、ボルト３ｄを緩めることにより、養生固定金具３ａは、外デッキ１１の上面に対して、移動自在となる。次に、図３に示すように形が平板である養生固定板３ｂと養生シート４ａを押しピン５で固定する。さらに、形状がＬ字型の養生固定板３ｃには、養生シート４ｂを押しピン５で固定する。また、養生シート４ｃは、養生シート４ａと同様に養生固定板３ｂと押しピン５で固定する。この時、図４に示すように、養生シート４ａ、４ｂはそれぞれ、段違いに別々の養生固定板３ｂ、３ｃに固定され、養生シート４ａと養生シート４ｂをオーバーラップさせて設置してある。なお、養生シート４ｃと養生シート４ｂについても前述と同様にオーバーラップさせて設置してある。
【００１６】
［本実施形態における作業工程Ｓ２］
リニューアル作業２日目における図９に示した作業工程Ｓ２は、前述のように作業工程Ｓ１終了日以降の夜間に実施される。例えば、連夜に亘って作業する場合は、前述の作業工程Ｓ１終了日の翌日の昼間に、養生シート４ａ、４ｂ、４ｃを設置した状態で、乗客コンベアを利用可能にし、乗客のいない夜間に作業工程Ｓ２を実施する。この作業工程Ｓ２では、図５、６に示すように、既設外装側板１ａに覆い被せるように新設外装側板１ｂを取り付けることが行われる。新設外装側板１ｂは、既設外装側板１ａよりも長く設定されており、その下端は、既設外装側板１ａの下端よりも下方に位置する。次に、養生固定板３ｂと養生シート４ａとを繋ぐ養生固定板、すなわちインターフェース金具６と養生固定板３ｂをボルト７にて締結固定する。さらに、インターフェース金具６と養生シート４ａを押しピン５にて固定し直す。なお、養生シート４ｂ、４ｃについても同様にしてインターフェース金具６に押しピン５によって養生シート４ｂ、４ｃが固定される。
【００１７】
［本実施形態における作業工程Ｓ３］
リニューアル作業３日目における図９に示した作業工程Ｓ３は、前述の作業工程２と同様に例えば、前工程Ｓ２が実施された翌日の夜間に実施する。この作業工程Ｓ３では、図７に示すように、養生シート４ａ等の上部に新設照明装置８を設置し、その後、インターフェース金具６と養生シート４ａ等を押しピン５によって再度固定し直すことが行われる。
【００１８】
［本実施形態における作業工程Ｓ４］
リニューアル作業４日目における図９に示した作業工程Ｓ４では、図８に示すように、養生固定金具３ａ、３ｂとインターフェース金具６を撤去し、その後に、既設の外装天板９を設置することが行われる。この作業工程Ｓ４が終了すると、新設外装側板１ｂと新設照明装置８のリニューアルが完了する。
【００１９】
［本実施形態の効果］
このようにしてリニューアルを行う本実施形態によれば、既設の外装天板９と既設の照明装置を撤去した後、既設外装下地材２に間隔をおいて養生固定板３ｂ、３ｃが取り付けられた複数の養生固定金具３ａを移動自在に配置し、養生シート４ａ、４ｂ、４ｃを養生固定板３ｂ、３ｃあるいはインターフェース金具６にボルト３で挟圧固定した後に、必要に応じて養生固定金具３ａを移動させるので、養生シート４ａ、４ｂ、４ｃがピーンと張った状態で、見栄えよく設置することができる。なお、養生シート４ａ、４ｂ、４ｃを引っ張りながら、適宜の位置に配置した養生固定金具３ａに取り付けられた養生固定板３ｂ、３ｃ、あるいはインターフェース金具６に固定するようにしてもよい。
【００２０】
さらに、養生シート４ａ等を養生固定板３ｂ、３ｃ、インターフェース金具６に脱着自在な押しピン５により固定する。または、それぞれの養生シート４ａ、４ｂ、４ｃの端部がオーバーラップした状態で、それぞれの養生シート４ａ、４ｂ、４ｃを別々の養生固定板３ｂ、３ｃ、あるいはインターフェース金具６にそれぞれ押しピン５により固定する。または、養生固定金具３ａは、複数個の穴に養生シート４ａ、４ｂ、４ｃを押しピン５により固定する。これによって、既設外装側板１ａや既設外装地材２に穴あけ加工することなく、乗客コンベアの踏み段からの作業も可能になる。これによって、養生取付けの作業時間が大幅に短縮可能である。
【図面の簡単な説明】
【００２１】
【図１】本発明に係る乗客コンベアのリニューアルにおける外装照明養生方法の一実施形態を適用して、既設外装天板の撤去後に養生シートを設置した状態を示す乗客コンベアの側面図である。
【図２】図１のＢ−Ｂ断面拡大図である。
【図３】図２のＣ部拡大図である。
【図４】図３のＡ方向から見た図である。
【図５】新設外装側板及びインターフェース金具の設置後に養生シートを設置した状態を示す図２に対応する図である。
【図６】図５のＤ部拡大図である。
【図７】照明器具の設置後に養生シートを設置した状態を示す図５に対応する図である。
【図８】外装天板の設置後の状態を示す図７に対応する図である。
【図９】本発明の一実施形態を適用して行われるリニューアルの工程図である。
【符号の説明】
【００２２】
１ａ  既設外装側板
１ｂ  新設外装側板
２    既設外装下地材
３ａ  養生固定金具  
３ｂ、３ｃ  養生固定板
３ｄ  ボルト
４ａ、４ｂ、４ｃ  養生シート
５    押しピン
６    インターフェース金具（養生固定板）
７    ボルト
８    新設照明装置
９    外装天板
【図１】
2008001507.tif 000003
【図２】
2008001507.tif 000004
【図３】
2008001507.tif 000005
【図４】
2008001507.tif 000006
【図５】
2008001507.tif 000007
【図６】
2008001507.tif 000008
【図７】
2008001507.tif 000009
【図８】
2008001507.tif 000010
【図９】
2008001507.tif 000011